(57)【要約】【課題】設定情報の設定に不具合が生じない情報処理装置を提供することを課題とする。【解決手段】本実施例の携帯電話機は、自装置の設定情報と通信上でやりとりするＩＤとを関連付けて他の情報機器に送信する、及び該他の情報機器から該設定情報と通信上でやりとりするＩＤとを受信する送受信部（１０２、１０３、１０４）と、該通信上でやりとりするＩＤと、自装置で管理するデータとを関連付けた対応表を記憶するメモリ１０７と、該受信された設定情報と該対応表の管理データ及び変更された管理データに基づいて該変更された管理データと設定情報との関連付けの更新が行われた後、更新された設定情報に対する復元処理を行うアプリケーション処理部１０５と、を有する。【選択図】図３
2010277373.tif 000002
【特許請求の範囲】
【請求項１】
自装置の設定情報と通信上でやりとりするＩＤとを関連付けて他の情報機器に送信する、及び該他の情報機器から該設定情報と通信上でやりとりするＩＤとを受信する送受信部と、
該通信上でやりとりするＩＤと、自装置で管理するデータとを関連付けた対応表を記憶するメモリと、
該受信された設定情報と該対応表の管理データ及び変更された管理データに基づいて該変更された管理データと設定情報との関連付けの更新が行われた後、更新された設定情報に対する復元処理を行うアプリケーション処理部と、
を有することを特徴とする情報処理装置。
【請求項２】
前記対応表は、更に対応表を保存した保存日の情報も含むことを特徴とする請求項１に記載の情報処理装置。
【発明の詳細な説明】
【技術分野】
【０００１】
本発明は情報処理装置に関する。本発明は、例えば、メール振り分けに関する設定情報のバックアップ処理及び復元処理を行うことができる情報処理装置に関する。なお、携帯電話機を情報処理装置の一例として以下説明する。
【背景技術】
【０００２】
携帯電話機同士、もしくは携帯電話機とパーソナル・コンピュータ（以下、「ＰＣ」と呼ぶことがある）の間において、双方がＯＢＥＸ（：ＯＢＪＥＣＴ  ＥＸＣＨＡＮＧＥ）規格に準拠していれば、電話帳やスケジュール帳、メール、ブックマークといったデータを１件、もしくは数件送受信することが可能である。ＯＢＥＸとは、ＩｒＯＢＥＸ（：ＩＮＦＲＡＲＥＤ  ＯＢＪＥＣＴ  ＥＸＣＨＡＮＧＥ）とも呼ばれる通信プロトコルである。
【０００３】
また、携帯電話機の内部の設定情報、例えば、メールを振り分ける際の振り分け条件や、着信時の設定等に関しても一括してバックアップ処理や復元処理が可能である。図１は、バックアップ処理及び復元処理を行うシステム構成を示す。
【０００４】
図１の１Ａは、携帯電話機１００とサーバ２００間をインターネット等の公衆回線３００を経由して接続したシステム構成である。携帯電話機１００の設定情報は公衆回線３００を経由してサーバ２００内の図示しない記憶部でバックアップされ、必要に応じて、携帯電話機１００に復元処理される。携帯電話機１００と公衆回線３００とは無線・赤外線等で接続される。
【０００５】
図１の１Ｂは、携帯電話機１００とＰＣ４００とをＵＳＢ（：ＵＮＩＶＥＲＳＡＬ  ＳＥＲＩＡＬ  ＢＵＳ）ケーブル５００によって有線にてシリアル接続されたシステム構成である。携帯電話機１００の設定情報はＵＳＢケーブル５００を経由してＰＣ４００内の図示しない記憶部でバックアップされ、必要に応じて、携帯電話機１００に復元処理される。関連技術が特許文献１に開示されている。
【先行技術文献】
【特許文献】
【０００６】
【特許文献１】特開平１０−３４０１２３号公報
【発明の概要】
【発明が解決しようとする課題】
【０００７】
携帯電話機が管理するコンテンツやＰＩＭ（：ＰＥＲＳＯＮＡＬ  ＩＮＦＯＲＭＡＴＩＯＮ  ＭＡＮＡＧＥＲ）等のデータと携帯電話機の内部の設定情報に関連性がある場合には、その整合性を取ることが望ましい。
【０００８】
ここでいう整合性が取れない状態とは、一度バックアップした設定情報データを再び携帯電話機へ送信して復元処理する際に、内部に関連性のあるデータが削除された場合に設定されるデータがずれることを指す。
【０００９】
例えば、メールを保存するフォルダが複数（例えばフォルダＡ、Ｂ、Ｃ）あり、それぞれメール受信の際の振り分け条件がＡ、Ｂ、Ｃと設定されている場合を想定する。この条件で一度設定情報をバックアップする。このとき、携帯電話機のメール受信フォルダＢを削除した後で、バックアップした設定情報の中の振り分け条件Ａ−１、Ｂ−１、Ｃ−１を復元すると、振り分け条件の設定先がフォルダＡに対して条件Ａ−１、フォルダＣに対して条件Ｂ−１、と元の条件とずれが発生する問題がある。
【００１０】
この問題を、図を使って説明する。図２は、従来のバックアップ処理及び復元処理を説明する図である。図２の２Ａは、携帯電話機からＰＣに対して送信された設定情報データを示す。この設定情報データは振り分け条件とフォルダ番号とがそれぞれ関連付けされている。条件Ａには番号００２が、条件Ｂには番号００３が、条件Ｃには番号００４が、条件Ｄには番号００１が関連付けられている。
【００１１】
図２の２Ｂは、携帯電話機内の内部管理ＩＤとフォルダ名との関係を示す図である。内部管理ＩＤ（Ｆｏｌｄｅｒ）「０ｘ００１００００１」はフォルダ０１と対応し、フォルダ０１の配下にはメール１１と１２とが格納される。内部管理ＩＤ（Ｆｏｌｄｅｒ）「０ｘ００１００００２」はフォルダ０２と対応し、フォルダ０２の配下にはメール２１が格納される。内部管理ＩＤ（Ｆｏｌｄｅｒ）「０ｘ００１００００３」はフォルダ０３と対応し、フォルダ０３の配下にはメール３１と３２とが格納される。内部管理ＩＤ（Ｆｏｌｄｅｒ）「０ｘ００１００００４」はフォルダ０４と対応し、フォルダ０４の配下にはメール４１が格納される。そして、フォルダ０２が削除された場合を示している。
【００１２】
図２の２Ｃは、振り分け条件と内部管理ＩＤである振り分け先ＩＤとの関係を示す図である。元の振り分け状態が、条件Ｄ、Ａ、Ｂ、Ｃであり、バックアップされた後に例えばフォルダ０２を削除した場合は振り分け先ＩＤ「０ｘ００１００００２」が携帯電話機内で管理されなくなる。つまり振り分け先ＩＤ「０ｘ００１００００２」が存在しない、削除されたことになる。
【００１３】
一方、復元時は振り分け先ＩＤの順番で振り分け条件の設定が行われるので、途中削除された場合に設定値がずれる。条件Ｄは振り分け先ＩＤ「０ｘ００１００００１」に設定されるが、条件Ａが振り分け先ＩＤ「０ｘ００１００００３」に設定され、条件Ｂが振り分け先ＩＤ「０ｘ００１００００４」に設定されてしまう。このように元の振り分け条件と復元振り分け条件とが一致しなくなる。
【００１４】
本発明は、設定情報の設定に不具合が生じない情報処理装置を提供することを目的とする。
【課題を解決するための手段】
【００１５】
本明細書に開示の情報処理装置は、自装置の設定情報と通信上でやりとりするＩＤとを関連付けて他の情報機器に送信する、及び該他の情報機器から該設定情報と通信上でやりとりするＩＤとを受信する送受信部と、該通信上でやりとりするＩＤと、自装置で管理するデータとを関連付けた対応表を記憶するメモリと、該受信された設定情報と該対応表の管理データ及び変更された管理データに基づいて該変更された管理データと設定情報との関連付けの更新が行われた後、更新された設定情報に対する復元処理を行うアプリケーション処理部とを有する。
【発明の効果】
【００１６】
本発明によれば、設定情報の設定に不具合が生じない情報処理装置を提供できる。
【図面の簡単な説明】
【００１７】
【図１】図１は、バックアップ処理及び復元処理を行うシステム構成を示す図である。
【図２】図２は、従来のバックアップ処理及び復元処理を説明する図である。
【図３】図３は、携帯電話機における一実施例の構成を示すブロック図である。
【図４】図４は、携帯電話機における一実施例のバックアップ処理及び復元処理を説明する図である。
【図５】図５は、携帯電話機における一実施例のバックアップ処理を示す処理フローである。
【図６】図６は、携帯電話機における一実施例の対応表のその他の例を示す図である。
【図７】図７は、携帯電話機における一実施例の復元処理を示す処理フローである。
【発明を実施するための形態】
【００１８】
以下、携帯電話機を情報処理装置の一例として説明する。
【００１９】
図３は、携帯電話機における一実施例の構成を示すブロック図である。１００は携帯電話機を示し、１０１は無線通信部であり他の携帯電話機と電話する等の際に使用される。１０２は赤外線処理部であり、バックアップ処理を行う際にＰＣと双方向で無線接続する際に使用される。１０３はシリアル接続部であり、バックアップ処理を行う際にＰＣと双方向で有線接続する際に使用される。シリアル接続部１０３は、ＵＳＢケーブルが接続される接続口を含む。
【００２０】
１０４は近距離無線通信部であり、バックアップ処理を行う際にＰＣと双方向で無線接続する際に使用される。赤外線処理部１０２とシリアル接続部１０３及び近距離無線通信部１０４を総称して例えば送受信部と呼ぶ。送受信部はバックアップ時あるいは復元時に他の情報機器とデータの送信あるいは受信を行う。
【００２１】
本実施の形態ではこの送受信部を介して図示しないＰＣへの設定情報データのバックアップ、あるいは携帯電話機１００にて設定情報の復元処理を行うためにＰＣから送信された設定情報データを受信する。
【００２２】
１０５はアプリケーション処理部であり、中央演算装置１０６とメモリ１０７を有する。後述するがメモリ１０７の中には対応表が記憶されている。１０８は表示部であり、例えば液晶表示装置である。１０９は入力部であり、例えば０〜９までの数字キー、オンフックキー、オフフックキー、カーソルキー、決定キー、電話帳呼び出しキー、メールキー等である。その他タッチパネルに対応することもある。
【００２３】
なお、これら無線通信部１０１、赤外線処理部１０２、シリアル接続部１０３、近距離無線通信部１０４、アプリケーション処理部１０５、表示部１０８、入力部１０９は、携帯電話機１００内のバスによってそれぞれ接続されている。
【００２４】
次に、携帯電話機における一実施例のバックアップ処理及び復元処理について説明する。図４の４Ａは携帯電話機からＰＣに対して送信された設定情報データを示す。この設定情報データは振り分け条件とフォルダ番号とがそれぞれ関連付けされている。条件Ａには番号００２が、条件Ｂには番号００３が、条件Ｃには番号００４が、条件Ｄには番号００１が関連付けられている。なお、フォルダ番号とは、例えば、携帯電話機とＰＣ等の他の電子機器との間において通信上やりとりされるＩＤである。
【００２５】
図４の４Ｂは、携帯電話機に保存してある内部管理ＩＤとフォルダ番号との対応表を示す図である。この対応表では、内部管理ＩＤ「０ｘ００１００００１」はフォルダ番号００１に対応し、内部管理ＩＤ「０ｘ００１００００２」はフォルダ番号００２に対応する。内部管理ＩＤ「０ｘ００１００００３」はフォルダ番号００３に対応し、内部管理ＩＤ「０ｘ００１００００４」はフォルダ番号００４に対応する。
【００２６】
ここで図６を用いて、対応表のその他の例について説明する。図６の６Ａは、保存日：２００９．０１．０１に内部管理ＩＤ「０ｘ００１００００１」乃至「０ｘ００１００００４」がフォルダ番号００１乃至００４と対応付けされた対応表を示す。図６の６Ｂは、保存日：２００９．０１．０２に内部管理ＩＤ「０ｘ００１００００１」乃至「０ｘ００１００００５」がフォルダ番号００１乃至００５と対応付けされた対応表を示す。
【００２７】
また、図６の６Ｃは、保存日：２００９．０１．０３に内部管理ＩＤ「０ｘ００１００００１」乃至「０ｘ００１００００６」がフォルダ番号００１乃至００６と対応付けされた対応表を示す。これら保存日は対応表の版数管理として利用することができ、対応表を複数保存しておき、希望する対応表を選択することによって復元する時期を選択することができる。
【００２８】
図４の４Ｃは、携帯電話機内の内部管理ＩＤとフォルダ名との関係を示す図である。内部管理ＩＤ（Ｆｏｌｄｅｒ）「０ｘ００１００００１」はフォルダ０１と対応し、フォルダ０１の配下にはメール１１と１２とが格納される。内部管理ＩＤ（Ｆｏｌｄｅｒ）「０ｘ００１００００２」はフォルダ０２と対応し、フォルダ０２の配下にはメール２１が格納される。
【００２９】
内部管理ＩＤ（Ｆｏｌｄｅｒ）「０ｘ００１００００３」はフォルダ０３と対応し、フォルダ０３の配下にはメール３１と３２とが格納される。内部管理ＩＤ（Ｆｏｌｄｅｒ）「０ｘ００１００００４」はフォルダ０４と対応し、フォルダ０４の配下にはメール４１が格納される。そして、フォルダ０２が削除された場合を示している。
【００３０】
図４の４Ｄは、振り分け条件と内部管理ＩＤである振り分け先ＩＤとの関係を示す図である。元の振り分け状態が、条件Ｄ、Ａ、Ｂ、Ｃであり、バックアップされた後に例えばフォルダ０２を削除した場合は振り分け先ＩＤ「０ｘ００１００００２」が携帯電話機内で管理されなくなる。つまり振り分け先ＩＤ「０ｘ００１００００２」が存在しない、削除されたことになる。
【００３１】
本実施の形態では、ＰＣから受信した設定情報データの内のフォルダ番号と携帯端末機内の対応表の内のフォルダ番号とから、対応する振り分け条件と内部管理ＩＤとの対応関係を識別することができる。
【００３２】
内部管理ＩＤ「０ｘ００１００００２」は削除されたことになるが、対応表内の内部管理ＩＤと実際に変更が生じたフォルダに対する振り分け先ＩＤを参照することにより設定情報の設定が行われない。
【００３３】
したがって、実際のフォルダに変更が生じたとしても、元の振り分け条件と振り分け先ＩＤつまり内部管理ＩＤとの関連付けと、復元振り分け条件と振り分け先ＩＤつまり内部管理ＩＤとの関連付けとにずれが生じることがない。実際に生じたフォルダの変更とは、フォルダの削除の他、例えばフォルダ名の変更、フォルダの移動等である。
【００３４】
次に携帯電話機における一実施例のバックアップ処理について説明する。図５は、携帯電話機における一実施例のバックアップ処理を示す処理フローである。以下の処理はアプリケーション処理部１０５内の中央演算装置１０６にて処理が行われる。
【００３５】
まず、メール振り分け情報を取得する（ステップＳ１００）。次に、メール振り分け情報に対応する内部管理ＩＤとフォルダ名（ｆｏｌｄｅｒ０１）を取得する。フォルダ名とは、例えばメールの受信ボックスや送信ボックスに表示されるフォルダの名称であり、ユーザが自由に名称を書換え変更できるものである。
【００３６】
次に、内部管理ＩＤをフォルダ番号に変換する（ステップＳ１０２）。次に、既に同じ内部管理ＩＤが変換されているか否かの判断が行われる（ステップＳ１０３）。もし、変換されていないのであれば、ステップＳ１０４に進み、新しいフォルダ番号が採番される。
【００３７】
次に、内部管理ＩＤとフォルダ番号との対応表を作成して、メモリ１０７に保存し記憶する（ステップＳ１０５）。もし、同じ内部管理ＩＤが変換されているならば、対応表から既に追い出したフォルダ番号を取得する（ステップＳ１０６）。
【００３８】
次に、送受信部、例えば、赤外線処理部１０２あるいはシリアル接続部１０３あるいは近距離無線通信部１０４の何れかを使用して、図示しないＰＣに振り分け条件とフォルダ番号とを送信する（ステップＳ１０７）。
【００３９】
以上で、携帯電話機１００から、例えばＰＣへのバックアップ処理が終了する。
【００４０】
次に、携帯電話機における一実施例の復元処理について説明する。図７は、携帯電話機における一実施例の復元処理を示す処理フローである。以下の処理はアプリケーション処理部１０５の中央演算処理１０６にて処理が行われる。
【００４１】
まず、メール振り分け情報を、バックアップ先のＰＣから受信する。この受信は、送受信部、例えば、赤外線処理部１０２あるいはシリアル接続部１０３あるいは近距離無線通信部１０４の何れかを使用して行われる（ステップＳ２００）。
【００４２】
次に、携帯電話機１００のメモリ１０７から対応表を取得する（ステップＳ２０１）。次に、ＰＣから受信した設定情報データの中から、復元処理時の設定情報内の振り分け条件を入手する（ステップＳ２０２）。
【００４３】
次に、ＰＣが受信した設定情報データの中から、復元処理時の設定情報内のフォルダ番号を入手する（ステップＳ２０３）。次に、設定情報内のフォルダ番号と、対応表から入手したフォルダ番号との関係において一致するものがあれば、それに対応した内部管理ＩＤを入手する（ステップＳ２０４）。
【００４４】
次に、内部管理ＩＤと振り分け条件との関連付けが更新される（ステップＳ２０５）。その後、携帯電話機の振り分け条件への設定がなされる（ステップＳ２０６）。上記ステップＳ２０２からステップＳ２０６は、振り分け条件の数分だけ繰り返し実行される。
【００４５】
以上、本発明の好ましい一実施形態について記述したが、本発明は、係る特定の実施形態に限定されるものではなく、特許請求の範囲に記載された本発明の要旨の範囲内において、種々の変形・変更が可能である。
【００４６】
情報処理機器としては、携帯電話機に限定されない。例えばＰＤＡ（：ＰＥＲＳＯＮＡＬ  ＤＥＧＩＴＡＬ  ＡＳＳＩＳＴＡＮＴ）や、ノート型パーソナル・コンピュータであってもよい。
【符号の説明】
【００４７】
１００  携帯電話機
１０１  無線通信部
１０２  赤外線処理部
１０３  シリアル接続部
１０４  近距離無線通信部
１０５  アプリケーション処理部
１０６  中央演算装置
１０７  メモリ
１０８  表示部
１０９  入力部
２００  サーバ
３００  公衆回線
４００  パーソナル・コンピュータ
５００  ＵＳＢケーブル
【図１】
2010277373.tif 000003
【図２】
2010277373.tif 000004
【図３】
2010277373.tif 000005
【図４】
2010277373.tif 000006
【図５】
2010277373.tif 000007
【図６】
2010277373.tif 000008
【図７】
2010277373.tif 000009